【手続補正書】
【提出日】平成25年11月25日(2013.11.25)
【手続補正１】
【補正対象書類名】明細書
【補正対象項目名】００６５
【補正方法】変更
【補正の内容】
【００６５】
【表４】
2013514438.tif 000001
＊１７７℃で１０分間のプレス硬化、及び２８２℃で２４時間の後硬化
本発明の範囲及び趣旨から逸脱することなく本発明に予測可能な修正及び変更を行い得ることは当業者には明らかであろう。本発明は、説明を目的として本出願に記載される各実施形態に限定されるべきものではない。
以下に、本願発明に関連する発明の実施形態について列挙する。
［実施形態１］
（ｉ）（ａ）少なくとも１種の水素含有モノマー及び（ｂ）少なくとも１種のニトリル含有モノマー由来の共重合単位を含むフルオロエラストマーと、
（ｉｉ）硬化剤と、
を含み、
前記硬化剤がペルオキシド及び架橋助剤から本質的になる、硬化可能な部分的にフッ素化されたエラストマー組成物。
［実施形態２］
前記硬化可能な部分的にフッ素化されたエラストマー組成物が、金属酸化物を本質的に含まない、実施形態１に記載の硬化可能な部分的にフッ素化されたエラストマー組成物。
［実施形態３］
前記硬化可能な部分的にフッ素化されたエラストマー組成物が、臭素及びヨウ素を本質的に含まない、実施形態１に記載の硬化可能な部分的にフッ素化されたエラストマー組成物。
［実施形態４］
前記硬化可能な部分的にフッ素化されたエラストマー組成物が、少なくとも１つの臭素、塩素、及びヨウ素硬化部位を更に含む、実施形態１に記載の硬化可能な部分的にフッ素化されたエラストマー組成物。
［実施形態５］
前記ペルオキシドが、２，５−ジメチル−２，５−ジ（ｔ−ブチルペルオキシ）−ヘキサン、ジクミルペルオキシド、ジ（２−ｔ−ブチルペルオキシイソプロピル）ベンゼン、及びこれらの組み合わせから選択される、実施形態１に記載の硬化可能な部分的にフッ素化されたエラストマー組成物。
［実施形態６］
前記架橋助剤が、トリアリルイソシアヌレート、トリ（メチル）アリルイソシアヌレート、トリアリルシアヌレート、及びこれらの組み合わせから選択される、実施形態１に記載の硬化可能な部分的にフッ素化されたエラストマー組成物。
［実施形態７］
前記少なくとも１種のニトリル含有モノマーが、ＣＦ２＝ＣＦＯ（ＣＦ２）５ＣＮ、ＣＦ２＝ＣＦＯＣＦ２ＣＦ（ＣＦ３）ＯＣＦ２ＣＦ２ＣＮ、ＣＦ２＝ＣＦＯＣＦ２ＣＦ（ＣＦ３）ＯＣＦ２ＣＦ（ＣＦ３）ＣＮ、ＣＦ２＝ＣＦＯＣＦ２ＣＦ２ＣＦ２ＯＣＦ（ＣＦ３）ＣＮ、ＣＦ２＝ＣＦＯＣＦ２ＣＦ（ＣＦ３）ＯＣＦ２ＣＦ２ＣＮ、及びこれらの組み合わせから選択される、実施形態１に記載の硬化可能な部分的にフッ素化されたエラストマー組成物。
［実施形態８］
前記少なくとも１種の水素含有モノマーが、フッ化ビニリデン、１Ｈ−ペンタフルオロプロピレン、プロピレン、エチレン、及びこれらの組み合わせから選択される、実施形態１に記載の硬化可能な部分的にフッ素化されたエラストマー組成物。
［実施形態９］
前記フルオロエラストマーが、完全フッ素化されたモノマー由来の共重合単位を更に含む、実施形態１に記載の硬化可能な部分的にフッ素化されたエラストマー組成物。
［実施形態１０］
前記完全フッ素化されたモノマーが、クロロトリフルオロエチレン、テトラフルオロエチレン、ペルフルオロメチルビニルエーテル、ヘキサフルオロプロピレン、ＣＦ２＝ＣＦＯＣＦＣＦ２ＣＦ２ＯＣＦ３、ＣＦ２＝ＣＦＯＣＦ２ＯＣＦ２ＣＦ２ＣＦ３、ＣＦ２＝ＣＦＯＣＦ２ＯＣＦ２ＣＦ３、ＣＦ２＝ＣＦＯＣＦ２ＯＣＦ３、及びこれらの組み合わせから選択される、実施形態９に記載の硬化可能な部分的にフッ素化されたエラストマー組成物。
［実施形態１１］
前記フルオロエラストマーが、（ｉ）ヘキサフルオロプロピレン、テトラフルオロエチレン、及びフッ化ビニリデン、（ｉｉ）ヘキサフルオロプロピレン及びフッ化ビニリデン、（ｉｉｉ）フッ化ビニリデン及びペルフルオロメチルビニルエーテル、（ｉｖ）フッ化ビニリデン、テトラフルオロエチレン、及びペルフルオロメチルビニルエーテル、（ｖ）フッ化ビニリデン、テトラフルオロエチレン、及びプロピレン、（ｖｉ）テトラフルオロエチレン及びプロピレン、又は（ｖｉｉ）エチレン、テトラフルオロエチレン、及びペルフルオロメチルビニルエーテル由来のものである、実施形態１に記載の硬化可能な部分的にフッ素化されたエラストマー組成物。
［実施形態１２］
実施形態１に記載の硬化可能な部分的にフッ素化されたエラストマー組成物を含む、硬化物品。
［実施形態１３］
前記硬化物品が、金属酸化物を本質的に含まない、実施形態１に記載の硬化物品。
［実施形態１４］
（ｉ）（ａ）少なくとも１種の水素含有モノマー及び（ｂ）少なくとも１種のニトリル含有モノマー由来の共重合単位を含むフルオロエラストマーを提供する工程と、
（ｉｉ）前記部分的にフッ素化されたエラストマーを硬化剤で硬化する工程と、
を含み、
前記硬化剤が、ペルオキシド及び架橋助剤から本質的になる、部分的にフッ素化されたエラストマー組成物を硬化する方法。
［実施形態１５］
前記部分的にフッ素化されたエラストマーが、金属酸化物を本質的に含まない、実施形態１４に記載の方法。
［実施形態１６］
前記硬化可能な部分的にフッ素化されたエラストマー組成物が、臭素及びヨウ素を本質的に含まない、実施形態１４に記載の方法。
［実施形態１７］
前記ペルオキシドが、２，５−ジメチル−２，５−ジ（ｔ−ブチルペルオキシ）−ヘキサン、ジクミルペルオキシド、ジ（２−ｔ−ブチルペルオキシイソプロピル）ベンゼン、及びこれらの組み合わせから選択される、実施形態１４に記載の方法。
［実施形態１８］
前記架橋助剤が、トリアリルイソシアヌレート、トリ（メチル）アリルイソシアヌレート、トリアリルシアヌレート、及びこれらの組み合わせから選択される、実施形態１４に記載の方法。
［実施形態１９］
前記少なくとも１種のニトリル含有モノマーが、ＣＦ２＝ＣＦＯ（ＣＦ２）５ＣＮ、ＣＦ２＝ＣＦＯＣＦ２ＣＦ（ＣＦ３）ＯＣＦ２ＣＦ２ＣＮ、ＣＦ２＝ＣＦＯＣＦ２ＣＦ（ＣＦ３）ＯＣＦ２ＣＦ（ＣＦ３）ＣＮ、ＣＦ２＝ＣＦＯＣＦ２ＣＦ２ＣＦ２ＯＣＦ（ＣＦ３）ＣＮ、ＣＦ２＝ＣＦＯＣＦ２ＣＦ（ＣＦ３）ＯＣＦ２ＣＦ２ＣＮ、及びこれらの組み合わせから選択される、実施形態１４に記載の方法。
［実施形態２０］
前記少なくとも１種の水素含有モノマーが、フッ化ビニリデン、プロピレン、エチレン、イソブチレン、及びこれらの組み合わせから選択される、実施形態１４に記載の方法。
【手続補正２】
【補正対象書類名】特許請求の範囲
【補正対象項目名】全文
【補正方法】変更
【補正の内容】
【特許請求の範囲】
【請求項１】
（ｉ）（ａ）少なくとも１種の水素含有モノマー及び（ｂ）少なくとも１種のニトリル含有モノマー由来の共重合単位を含むフルオロエラストマーと、
（ｉｉ）硬化剤と、
を含み、
前記硬化剤がペルオキシド及び架橋助剤から本質的になる、硬化可能な部分的にフッ素化されたエラストマー組成物。
【請求項２】
請求項１に記載の硬化可能な部分的にフッ素化されたエラストマー組成物を含む、硬化物品。
【請求項３】
（ｉ）（ａ）少なくとも１種の水素含有モノマー及び（ｂ）少なくとも１種のニトリル含有モノマー由来の共重合単位を含むフルオロエラストマーを提供する工程と、
（ｉｉ）前記部分的にフッ素化されたエラストマーを硬化剤で硬化する工程と、
を含み、
前記硬化剤が、ペルオキシド及び架橋助剤から本質的になる、部分的にフッ素化されたエラストマー組成物を硬化する方法。